(57)【要約】【課題】蒸し焼き調理に好適な金属箔で成形された容器を提供する。【解決手段】一対の容器単体１０のフランジ１３外縁に罫線１４ａを介してタブ１４を連設し、一方の容器単体１０を上下反転させて他方の容器単体１０の上に被せる。そのフランジ１３を重ね合わせた状態で、罫線１４ａを折り曲げてタブ１４をフランジ１３の上面の側に折り返す。容器単体１０のフランジ１３は他方の容器単体１０のフランジ１３およびタブ１４に上下から挟み込まれて保持される。重ね合わせた容器単体１０の内部には蒸し焼き調理に好適な閉鎖空間が形成され、かつ容器単体１０同士はタブ１４を折り返すことで固定されているため、衝撃がかかる等しても互いにずれ動かず、開口が開いて蒸気が逃げてしまうことがない。【選択図】図４
2014230688.tif 000002
【特許請求の範囲】
【請求項１】
それぞれ金属箔から一体に成形された、
底壁と、
前記底壁の周縁から立ち上がる周壁と、
前記周壁の上縁から外向きに張り出すフランジと、
前記フランジの外縁に連設され、フランジとの境界に沿って形成された折り曲げ容易部を起点にフランジの上面に向けて折り返し可能な一または複数のタブと、を備える一対の容器単体よりなり、
前記一対の容器単体の一方を上下反転させて他方の上にかぶせ、前記フランジ同士を重ね合わせた状態で前記各タブをフランジ上面に向けて折り返すと、互いに一方の容器単体のフランジが他方の容器単体のフランジとタブに上下から挟み込まれることで保持される食品調理用容器。
【請求項２】
前記各容器単体のフランジには、前記タブとの連設箇所を除いてほぼ全周に縁巻きが付属しており、
前記各容器単体の折り曲げ容易部は、前記フランジの幅方向に並列する複数の平行な罫線からなる請求項１に記載の食品調理用容器。
【請求項３】
前記各折り曲げ容易部は、平行な二本の罫線からなり、
その罫線間の距離は、前記縁巻きの外径とほぼ等しいかやや大きく、
それぞれの罫線を約９０度折り曲げることで前記タブを前記フランジ上面に向けて折り返すと、前記タブと前記フランジ上面との間に、他方の容器単体のフランジに付属する縁巻きを収容可能な幅の隙間が形成される請求項２に記載の食品調理用容器。
【請求項４】
前記一対の容器単体の各タブは、容器単体の一方を上下反転させて他方の上にかぶせ、前記フランジ同士を重ね合わせた状態でフランジ上面に向けて折り返す際に、互いに干渉しないような前記フランジ上の位置に、それぞれ連設されている請求項１から３のいずれかに記載の食品調理用容器。
【発明の詳細な説明】
【技術分野】
【０００１】
本発明は、蒸し焼き調理に好適な食品調理用容器に関する。
【背景技術】
【０００２】
バーベキューパーティなど、野外で食品を調理する際に用いられる金属箔を成型した容器が市販されている。
特許文献１のように、このような食品調理用容器は、長方形の底壁と、底壁の周縁から立ち上がる側壁と、側壁の上縁から外向きに張り出すフランジとを、金属箔をプレス成型することで一体に形成している。またフランジの外縁は、金属箔の断面が露出すると手指が切れる等して危険であるため、縁巻きが付属している。
この種の食品調理用容器は、焼き網等を介してバーベキューコンロの上に載せて、その中で焼きそばなどの炒め料理を調理するのに用いられ、できあがった料理の容器としても兼用される。
鉄板等を用いるのに比べて、軽量であるため取り扱いが容易であるという利点、アルミニウム箔などの金属箔製であるため通常安価であるという利点、および使い捨てできるという利点があるため、近年普及しつつある。
【０００３】
ところで、従来のこの種の食品調理用容器は、上述のとおり炒め調理するには好適であったが、上方に向けて開口しているため、調理中に大量の蒸気が開口から逃げてしまい、北海道名物のちゃんちゃん焼き等の蒸し焼き調理には適していなかった。
ここで、アルミニウム箔やラップフィルムなどを被せて容器の開口を塞ぎ、調理中に蒸気が逃げないようにすることも考えられる。しかし、野外では風によりそのアルミニウム箔等が吹き飛びやすく、また調理中に食品調理用容器を載せたコンロに人がぶつかるなどして衝撃がかかると、開口からアルミニウム箔等が外れやすい。
また、一対の食品調理用容器を用いて、バーベキューコンロの上に載せた一方の食品調理用容器の上に、上下を反転させた他方の食品調理用容器を被せ、フランジ同士を重ね合わせることで開口を塞ぐことも考えられる。しかし、上下の容器同士は固定されていないため、アルミニウム箔等を開口に被せた場合と同様に、衝撃等により上側の食品調理用容器がずれ動いて開口が露出しやすい。
したがって、従来の食品調理用容器を用いる限り、いずれの場合にも、開口から大量の蒸気が逃げやすく、蒸し焼き調理の状態を維持するのが難しい。
【先行技術文献】
【特許文献】
【０００４】
【特許文献１】特開２００９−１６５６１４号公報
【発明の概要】
【発明が解決しようとする課題】
【０００５】
そこで本発明の解決すべき課題は、蒸し焼き調理に好適な金属箔で成形された容器を提供することである。
【課題を解決するための手段】
【０００６】
上記した課題を解決するため、本発明の食品調理用容器を、それぞれ金属箔から一体に成形された、底壁と、前記底壁の周縁から立ち上がる周壁と、前記周壁の上縁から外向きに張り出すフランジと、前記フランジの外縁に連設され、フランジとの境界に沿って形成された折り曲げ容易部を起点にフランジの上面に向けて折り返し可能な一または複数のタブと、を備える一対の容器単体から構成したのである。
そして、前記一対の容器単体の一方を上下反転させて他方の上にかぶせ、前記フランジ同士を重ね合わせた状態で前記各タブをフランジ上面に向けて折り返すと、互いに一方の容器単体のフランジが他方の容器単体のフランジとタブに上下から挟み込まれることで保持されるようにしたのである。
ここで折り曲げ容易部とは、容器単体の他の箇所よりも容易に折り曲げ可能なように物理的または化学的に加工されている箇所を意味し、特に限定されるものではないが、罫線、薄肉部およびミシン目が例示できる。薄肉部は帯状の幅広のものであってもよく、その場合は、容器単体の他の箇所と薄肉部との境界部が、折り曲げの起点となりうる。
【０００７】
上下一対の容器単体を開口同士が向かい合うように重ね合わせて、フランジに罫線を介して連設されたタブを折り返して、そのタブと対向するフランジとで他方の容器単体のフランジを上下から挟みこむことで容器単体同士が固定される。
したがって、衝撃がかかる等しても容器単体が互いにずれ動くことがなく、その開口が閉塞された状態が維持される。このため、調理中に蒸気が外部に大量に逃げることがなく、蒸し焼き調理を好適におこなうことができる。
【０００８】
ここで前記各容器単体のフランジには、前記タブとの連設箇所を除いてほぼ全周に縁巻きが付属しており、前記各容器単体の折り曲げ容易部は、前記フランジの幅方向に並列する複数の平行な罫線からなるのが好ましい。
【０００９】
容器単体の折り曲げ容易部が単数の罫線等からなる場合には、タブをフランジの上面にほぼ重なるように折り返す際に、その単数の罫線等を約１８０度も折り曲げなければならない。したがって、その折り曲げ部から容器単体の素材である金属箔が破れるおそれがあり、タブが容器単体から分離してしまったり、破れて金属箔の断面が露出する箇所に触れると手指を切ってしまったりする可能性がある。
そこで本発明のように、各折り曲げ容易部を複数の罫線から構成すると、タブをフランジの上面にほぼ重なるように折り返す際に、各罫線の折り曲げ角度を、たとえば二本であれば約９０度ずつ、三本であれば約６０度ずつ、というように分散させることができる。同様に罫線がｘ本であれば、折り曲げ角度は約１８０／ｘ度ずつとできる。したがって各罫線における過剰な折曲げが抑制され、折り曲げ部から金属箔が破れるのを防止することができる。
【００１０】
また各容器単体のフランジ外縁に縁巻きが付属している場合には、このフランジを他方の容器単体のフランジと、単数の罫線等からなる折り曲げ容易部を約１８０度折り曲げることで折り返されたタブとで挟み込むと、フランジとタブとの間にほとんど隙間が形成されないことになる。このため、縁巻きがフランジとタブに上下から押圧されて、潰れてしまうおそれがある。容器単体の外縁に設けられた肉厚部である縁巻きが潰れてしまうと、容器単体全体の強度が低下する可能性がある。
そこで本発明のように、折り曲げ容易部を複数の罫線から構成し、合計折り曲げ角度が約１８０度となるように、それぞれの罫線を少しずつ折り曲げると、フランジと折り返したタブとの間に一定の隙間が形成される。そのフランジとタブに挟まれた他方の容器本体のフランジに付属する縁巻きは、一定の外径を有するが、この隙間に入り込むことで、上下から押圧して潰れることが抑制され、容器単体全体の強度低下が防止される。
【００１１】
以上のことから、前記各折り曲げ容易部は、平行な二本の罫線からなり、その罫線間の距離ｄは、前記縁巻きの外径ｒとほぼ等しいかやや大きいのが好ましい。
それぞれの罫線を約９０度折り曲げることで前記タブを前記フランジ上面に向けて折り返すと、前記タブと前記フランジ上面との間に、他方の容器単体のフランジに付属する縁巻きを収容可能な幅が約ｄの隙間が形成されることになる。
【００１２】
前記一対の容器単体の各タブは、容器単体の一方を上下反転させて他方の上にかぶせ、前記フランジ同士を重ね合わせた状態でフランジ上面に向けて折り返す際に、互いに干渉しないような前記フランジ上の位置に、それぞれ連設されているのが好ましい。
【００１３】
このように構成すると、タブ同士が干渉しないことから各タブの折り返し作業が容易であり、かつ各タブをフランジ上面にほぼ重なり合う位置にまできっちりと折り返すことができ、容器単体同士がずれ動かないようにしっかりと固定することができる。
【発明の効果】
【００１４】
本発明を以上のように構成したので、蒸し焼き調理に好適な金属箔成形容器を提供することが可能となった。
【図面の簡単な説明】
【００１５】
【図１】実施形態の容器単体の（ａ）は斜視図、（ｂ）は上面図、（ｃ）は側面図
【図２】実施形態の容器単体の図１（ａ）の矢印における断面図
【図３】実施形態の食品調理用容器の（ａ）は端面図、（ｂ）は要部断面図
【図４】実施形態の食品調理用容器の使用状態を示す分解斜視図
【発明を実施するための形態】
【００１６】
以下、図面を参照しつつ本発明の実施形態について説明する。
図１から図４のように、実施形態の食品調理用容器は、それぞれ金属箔からプレス成型機により一体に形成された一対に使用される相似形の容器単体１０からなる。相似形であるため、同じ金型により製造することができ、製造コストを抑えることができる。
【００１７】
図１のように、各容器単体１０は、底壁１１と、周壁１２と、縁巻き１３ａが付属するフランジ１３と、タブ１４と、を備える。
容器単体１０に用いられる金属箔の種類は特に限定されないが、アルミニウム箔、銅箔、鉄箔などが例示でき、軽量かつ安価であることからアルミニウム箔が好ましい。その金属箔の厚みも特に限定されないが、５０μｍ未満であると強度が不十分となるおそれがあり、３００μｍを超えると材料コストが嵩むため、５０〜３００μｍ程度が好ましい。
【００１８】
図１（ａ）および（ｂ）のように、容器単体１０の底壁１１は、長方形の四つの角隅部をそれぞれ直角二等辺三角形状に小さく切り欠いた形状となっている。底壁１１には、適宜補強のためのリブを設けたり、凹凸を設けたりしてもよい。
容器単体１０の底壁１１の形状は本実施形態に限定されず、正方形、円形、楕円形などでもよい。
底壁１１の面積も特に限定されないが、面積が２５ｃｍ２未満であると寸法が小さすぎて調理作業がしにくくなり、５０００ｃｍ２を超えると容器単体１０の強度が低下して変形等しやすくなるため、２５〜５０００ｃｍ２が好ましい。
【００１９】
図１（ａ）のように、容器単体１０の周壁１２は、底壁１１の周縁から広がって立ち上がっており、その高さはほぼ均一となっている。
周壁１２の高さは特に限定されないが、１０ｍｍ未満であると容器単体１０の深さが不充分となって食品を収納しにくくなり、２００ｍｍを超えると嵩張って持ち運びにくいため、１０〜２００ｍｍが好ましい。
【００２０】
図１（ａ）および（ｂ）のように、容器単体１０のフランジ１３は、周壁１２の上縁から外向きにほぼ水平に張り出しており、その幅は均一となっている。フランジ１３の幅の大きさは特に限定されない。
また容器単体１０の周壁１２からフランジ１３にかけては、周壁１２に沿って上下に延び、次いで屈曲してフランジ１３に沿って水平に延びるリブ１２ａが、角隅部を除いてほぼ全周に形成されることで、補強されている。このようなリブ１２ａは適宜省略可能である。
【００２１】
図１（ａ）および（ｂ）のように、タブ１４は、容器単体１０のフランジ１３の四つの角隅部のうち、対角線上に位置する二つの角隅部の外縁にのみ連設されている。このタブ１４の外縁は、摘みやすいように弧状の形状をしている。
フランジ１３とタブ１４との境界箇所、すなわちタブ１４の根元は、他の箇所と比較して折り曲げの容易な折り曲げ容易部となっている。ここでは図１（ａ）（ｂ）および図２のように、折り曲げ容易部はフランジ１３の幅方向、すなわち容器単体１０の内側から外側へ向かう方向に並列する、ほぼ平行な二本の罫線から構成されている。
【００２２】
フランジ１３の外縁のタブ１４を連設した箇所を除いたほぼ全周には、円筒形に上向きにカールした縁巻き１３ａが形成されている。この縁巻き１３ａは省略可能である。
ここで折り曲げ容易部を構成する二本の罫線１４ａの間の距離ｄは、縁巻き１３ａの外径ｒとほぼ同じかやや大きく設定されている。具体的には、たとえばｒ−２≦ｄ≦ｒ＋５（ｍｍ）程度に設計されている。
【００２３】
実施形態の食品調理用容器を使用する際には、図３および図４のように、食品Ｆを収納した一方の容器単体１０をコンロＲの上に載せ、その上に上下を反転させた他方の容器単体１０を蓋として被せ、開口が向かい合った状態で、容器単体１０同士のフランジ１３を重ね合わせる。
容器単体１０は、互いに一方の開口を他方が閉塞した状態となり、食品調理用容器の内部には、食品Ｆを収納した閉鎖空間が形成される。
したがって、加熱により食品Ｆ等から立ち上った蒸気が食品調理用容器の外部へと大量に逃げることが抑制され、蒸し焼き料理を調理することが容易である。なお、重ね合わせた容器単体１０のフランジ１３の間に自然に形成されるわずかな隙間から、少量の蒸気が漏れ出すようになっており、これにより内圧が上昇するのが防止されている。
【００２４】
この状態で図３（ｂ）のように、並列する罫線１４ａをそれぞれ約９０度ずつ折り曲げて、各タブ１４をフランジ１３の上面にほぼ重なり合うように（わずかな隙間をあけてほぼ平行となるように）折り返す。
ここで対角線上にタブが二つ設けられた相似形の容器単体同士を、一方を他方に対して上下反転させた状態で重ねると、両容器単体１０のタブが互いに干渉しない位置にずれるため、上記折り返し作業を円滑におこなうことができる。
これにより、容器単体１０は、互いに一方のフランジ１３が他方のフランジ１３と折り返したタブ１４とに上下に挟み込まれた状態となり、容器単体１０同士がずれ動いて開口が開き蒸気が逃げることのないように、しっかりと固定されることになる。
【００２５】
タブ１４を折り返す際に、二本の罫線１４ａをそれぞれ約９０度ずつ折り曲げているため、単一の罫線１４ａを約１８０度折り曲げるような場合に比べて、折り曲げ角度が分散されて、その折り曲げ箇所が破れにくくなっている。
また二本の罫線１４ａ間の距離ｄが、上述の通り縁巻き１３ａの外径ｒとほぼ同じがやや大きいため、タブ１４を折り返した際に、一方の容器単体１０のタブ１４とフランジ１３との間に形成される隙間の上下の幅が約ｄとなり、他方の容器単体１０のフランジ１３に付属する縁巻き１３ａがほぼ過不足なく収納されることになる。
したがって、縁巻き１３ａがタブ１４とフランジ１３に押し潰されて容器単体１０の強度が低下したり、タブ１４とフランジ１３間の隙間が縁巻き１３ａの外径に比べて大きすぎて容器単体１０がぐらついたりすることが防止される。
【００２６】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００２７】
たとえば上記実施形態では、一対の容器単体１０を相似形としているが、上下反転した状態で重ね合わせ、一方の容器単体１０のタブ１４をフランジ１３の上面に向けて折り返すと、そのタブ１４とフランジ１３により、他方の容器単体１０のフランジ１３を挟み込んで保持することが可能である限り、相似形でなくともよい。
たとえば、コンロ等の上に載置する容器単体１０を深底のものとし、その上に蓋として被せる容器単体１０を浅底のものとしてもよい。
【００２８】
また上記実施形態では、各容器単体１０にタブ１４を二つずつ設けているが、これに限定されない。たとえば各容器単体１０にタブ１４を一つずつ設けてもよいし、一方の容器単体１０と他方の容器単体１０とでタブ１４の数を異ならせてもよい。
さらにタブ１４の位置も、フランジ１３の外縁上である限り特に実施形態のような角隅部に限定されない。たとえば容器単体１０の底壁１１の形状が略長方形の場合には、一方の容器単体１０では、その底壁１１の長辺の中間地点上のフランジ１３外縁にタブ１４を設け、他方の容器単体１０では、その底壁１１の短辺の中間地点上のフランジ１３外縁にタブ１４を設けてもよい。
タブ１４の形状も実施形態のものに限定されず、たとえば多角形でもよい。タブ１４には、縁巻きが形成されていてもいなくても、いずれでもよい。
【００２９】
折り曲げ容易部を構成する罫線１４ａは実施形態のような二本に限られず、三本以上としたり、一本としたりしてもよい。
フランジ１３に縁巻き１３ａが付属していない場合には、そのフランジ１３を挟み込む他の容器単体１０のタブ１４とフランジ１３との間に縁巻き１３ａを収容可能な隙間を形成する必要がないため、罫線１４ａを一本にして構造を簡略化することができる。
罫線１４ａが三本の場合は、それぞれの罫線１４ａの折り曲げ角度を約６０度、四本の場合は、それぞれの罫線１４ａの折り曲げ角度を約４５度とすればよい。もちろん、各罫線１４ａの折り曲げ角度は均等である必要はなく、たとえば三本の場合に、そのうちの二本の折り曲げ角度を約９０度として、残る一本の折り曲げ角度を約０度にしてもよい。
いずれにせよ、罫線１４ａが三本以上の場合には、フランジ１３の幅方向の最も内側の罫線１４ａと最も外側の罫線１４ａとの距離ｄを、縁巻きの外径ｒより大きく設計するのが好ましい。このように設計すると、各罫線１４ａの折り曲げ角度を合計折り曲げ角度が約１８０度の範囲内で適宜調整することで、その折曲げによって折り返されて対向するタブ１４とフランジ１３との間に、他方の容器単体１０のフランジ１３の縁巻き１３ａが潰れることなく収納されることが可能な幅を持った隙間が形成可能となる。
【００３０】
実施形態の食品調理用容器は、主として、野外で大人数のために調理をおこなう際に用いられるような、比較的大きな寸法のものを想定しているが、家庭内でガスコンロにより加熱調理をおこなうような、一人食べきりサイズの比較的小さな寸法のものにも適用することが可能である。
【符号の説明】
【００３１】
１０  容器単体
１１  底壁
１２  周壁
１２ａ  リブ
１３  フランジ
１３ａ  縁巻き
１４  タブ
１４ａ  罫線
Ｆ  食品
Ｒ  コンロ
【図１】
2014230688.tif 000003
【図２】
2014230688.tif 000004
【図３】
2014230688.tif 000005
【図４】
2014230688.tif 000006